(57)【要約】【解決手段】  方法及び装置は、共通制御チャンネル（ＣＣＣＨ）を良好にデコードするために遠隔局によって要求される処理の量を削減するために提示される。遠隔局がいずれの更新要請も実施しない場合の時間の間に、ＣＣＣＨメッセージは、廃棄される（６１０）。遠隔局が更新要請を実施する場合の時間の間に、ＣＣＣＨメッセージは、完全に処理される（６００）。ＣＣＣＨメッセージの選択的処理は、対応する電力消費の節約をもたらす。
2005525760.tif 000002
【特許請求の範囲】
【請求項１】
遠隔局で共通制御チャンネル（ＣＣＣＨ）を選択的に処理するための方法であって、下記を具備する：
受信されたメッセージに関するインディケータが、受信されたメッセージがＣＣＣＨメッセージであることを指示するかどうかを決定すること；
受信されたメッセージがＣＣＣＨメッセージでないならば、そのときは、受信されたメッセージを処理すること；
受信されたメッセージがＣＣＣＨメッセージであるならば、そのときは、遠隔局による要請への応答が期待されているかどうかを決定すること；
遠隔局による要請への応答が期待されているならば、そのときは、ＣＣＣＨメッセージを処理すること；及び
遠隔局による要請への応答が期待されていないならば、そのときは、ＣＣＣＨメッセージを処理しないこと。
【請求項２】
受信されたメッセージに関するインディケータがＣＣＣＨメッセージとして受信されたメッセージを指示するかどうかを決定することは、受信されたメッセージの媒体アクセス制御（ＭＡＣ）ヘッダ部分を検査することを具備する、請求項１の方法。
【請求項３】
ＭＡＣヘッダ部分を検査することは、ＭＡＣヘッダ部分の目標チャンネル型フィールド（ＴＣＴＦ）部分を検査することを具備する、請求項２の方法。
【請求項４】
遠隔局による要請への応答がセル更新確認メッセージである、請求項１の方法。
【請求項５】
遠隔局による要請への応答がＵＲＡ更新確認メッセージである、請求項１の方法。
【請求項６】
遠隔局による要請への応答がＲＲＣ接続設定／拒絶メッセージである、請求項１の方法。
【請求項７】
遠隔局による要請への応答がＲＲＣ接続解放メッセージである、請求項１の方法。
【請求項８】
請求項１の方法、ここで、遠隔局による要請への応答が期待されているかどうかを決定することは、下記を具備する：
セル更新確認メッセージが期待されているかどうかを決定すること；
ＵＲＡ更新確認メッセージが期待されているかどうかを決定すること；
ＲＲＣ接続設定／拒絶メッセージが期待されているかどうかを決定すること；及び
ＲＲＣ接続解放メッセージが期待されているかどうかを決定すること、
ここで、決定することのステップは、任意の順序で実行されることができる。
【請求項９】
タイマが時間切れになっているかどうかを決定すること、ここで、タイマが時間切れであるならば、応答は期待されない、
を更に具備する、請求項８の方法。
【請求項１０】
遠隔局で処理することを削減するための装置であって、下記を具備する：
メモリ素子；及び
メモリ素子に記憶された命令の組を実行するために構成されたプロセッサであって、下記のための命令の組：
受信されたメッセージに関するインディケータが共通制御チャンネル（ＣＣＣＨ）メッセージとして受信されたメッセージを指示するかどうかを決定すること；
受信されたメッセージがＣＣＣＨメッセージでないならば、そのときは、受信されたメッセージを処理すること；
受信されたメッセージがＣＣＣＨメッセージであるならば、そのときは、遠隔局による要請への応答が期待されているかどうかを決定すること：
遠隔局による要請への応答が期待されているならば、そのときは、ＣＣＣＨメッセージを処理すること；及び
遠隔局による要請への応答が期待されていないならば、そのときは、ＣＣＣＨメッセージを処理しないこと。
【請求項１１】
請求項１０の装置、ここで、命令の組は、受信されたメッセージの媒体アクセス制御（ＭＡＣ）ヘッダ部分の目標チャンネル型フィールド（ＴＣＴＦ）部分が、受信されたメッセージが共通制御チャンネル（ＣＣＣＨ）メッセージであることを指示するかどうかを、更に決定するためである。
【請求項１２】
請求項１１の装置、ここで、遠隔局による要請への応答が期待されているかどうかを決定するための命令の組は、下記を具備する：
セル更新確認メッセージが期待されているかどうかを決定すること；
ＵＲＡ更新確認メッセージが期待されているかどうかを決定すること；
ＲＲＣ接続設定／拒絶メッセージが期待されているかどうかを決定すること；及び
ＲＲＣ接続解放メッセージが期待されているかどうかを決定すること、
ここで、決定することのステップは、任意の順序で実行されることができる。
【請求項１３】
遠隔局で共通制御チャンネル（ＣＣＣＨ）を処理するための方法であって、下記を具備する：
遠隔局が要請を基地局へ送信するならば、第１の状態へ遷移すること、ここで、第１の状態はＣＣＣＨ上で受信された任意のメッセージを処理するためにある；及び
要請への応答が遠隔局によって良好に処理されるならば、第２の状態へ遷移すること、ここで、第２の状態はＣＣＣＨ上で受信された任意のメッセージを廃棄するためにある。
【請求項１４】
請求項１３の方法、ここで、ＣＣＣＨ上で受信された任意のメッセージを廃棄することは、下記によって実行される、：
受信されたメッセージの媒体アクセス制御（ＭＡＣ）中の目標チャンネル型フィールド（ＴＣＴＦ）を検査すること；及び
ＴＣＴＦが、受信されたメッセージがＣＣＣＨメッセージであることを指示するならば、受信されたメッセージを廃棄すること。
【請求項１５】
第２状態へ遷移することは、遷移する前にタイマが時間切れになることを待機することを更に具備する、ここで、タイマは要請への応答を良好に処理することによって設定される、請求項１３の方法。
【請求項１６】
遠隔局で共通制御チャンネル（ＣＣＣＨ）を処理するための方法であって、下記を具備する：
遠隔局が第１の状態にあるならば、ＣＣＣＨ上で受信された任意のメッセージを処理すること、ここで、遠隔局が要請を基地局へ送信するならば、遠隔局は第１の状態に入る；及び
遠隔局が第２の状態にあるならば、ＣＣＣＨ上で受信された任意のメッセージを廃棄すること、ここで、遠隔局が基地局へ以前に送信された要請への応答を受信するならば、遠隔局は第２の状態に入る。
【請求項１７】
遠隔局はタイマの時間切れとともに第２の状態に入り、タイマは応答の受信によって始動される、請求項１６の方法。
【請求項１８】
遠隔局でメッセージを処理するための装置であって、下記を具備する：
メモリ素子；及び
メモリ素子に記憶された命令の組を実行するために構成されたプロセッサであって、下記のための命令の組：
遠隔局が要請を基地局へ送信するならば、第１の状態へ遷移すること、ここで、第１の状態は共通制御チャンネル（ＣＣＣＨ）上で受信された任意のメッセージを処理するためにある；及び
要請への応答が遠隔局によって良好に処理されるならば、第２の状態へ遷移すること、ここで、第２の状態はＣＣＣＨ上で受信された任意のメッセージを廃棄するためにある。
【請求項１９】
命令の組は、タイマの時間切れとともに第２の状態へ更に遷移するためである、ここで、要請への応答が良好に処理されるならば、タイマは始動される、請求項１８の装置。
【請求項２０】
遠隔局でメッセージを処理するための装置であって、下記を具備する：
メモリ素子；及び
メモリ素子に記憶された命令の組を実行するために構成されたプロセッサであって、下記のための命令の組：
遠隔局が第１の状態にあるならば、共通制御チャンネル（ＣＣＣＨ）上で受信された任意のメッセージを処理すること、ここで、遠隔局が要請を基地局へ送信するならば、遠隔局は第１の状態に入る；及び
遠隔局が第２の状態にあるならば、ＣＣＣＨ上で受信された任意のメッセージを廃棄すること、ここで、遠隔局が基地局へ以前に送信された要請への応答を受信するならば、遠隔局は第２の状態に入る。
【請求項２１】
遠隔局で処理することを削減するための装置であって、下記を具備する：
受信されたメッセージに関するインディケータが、受信されたメッセージが共通制御チャンネル（ＣＣＣＨ）メッセージであることを指示するかどうかを決定するため、及びＣＣＣＨメッセージが期待されているか又は期待されていないかどうかを決定するための手段；
受信されたメッセージがＣＣＣＨメッセージでないならば、又は、受信されたメッセージが期待されているＣＣＣＨメッセージであるならば、受信されたメッセージを処理するための手段；及び
受信されたメッセージが期待されていないメッセージであるならば、受信されたメッセージを廃棄するための手段。
【請求項２２】
共通制御チャンネル（ＣＣＣＨ）を選択的に処理するための装置であって、下記を具備する：
遠隔局が要請を基地局へ送信するならば、第１の状態へ遷移するための手段；
遠隔局が第１の状態にある間に、遠隔局によってＣＣＣＨ上で受信された任意のメッセージを処理するための手段；
要請への応答が遠隔局によって良好に処理されるならば、第２の状態へ遷移するための手段；及び
遠隔局が第２の状態にある間に、遠隔局によってＣＣＣＨ上で受信された任意のメッセージを廃棄するための手段。
【発明の詳細な説明】
【技術分野】
【０００１】
本発明は、一般に、無線通信に関し、特に、下り方向リンク共通制御チャンネルの選択的処理に関する。
【背景技術】
【０００２】
無線通信の分野は、例えば、コードレス電話機、ページング、無線ローカル・ループ、パーソナル・ディジタル・アシスタンツ（ＰＤＡｓ）、インターネット電話、及び衛星通信システムを含む、多くのアプリケーションを有する。特に重要なアプリケーションは、遠隔加入者のためのセルラ電話システムである。ここで使用されるように、用語“セルラ”システムは、セルラ又は個人通信サービス（ＰＣＳ）周波数のどちらかを使用するシステムを包含する。種々の無線インタフェースは、例えば、周波数分割多元アクセス（ＦＤＭＡ）、時分割多元アクセス（ＴＤＭＡ）、及びコード分割多元アクセス（ＣＤＭＡ）を含むこのようなセルラ電話システムに対して開発されてきている。これに関連して、例えば、先端移動電話サービス（ＡＭＰＳ）、移動通信に関する国際システム（ＧＳＭ）、及び暫定標準９５（ＩＳ‐９５）を含む、種々の国内及び国際標準が設定されてきている。ＩＳ‐９５及びそれの派生標準、ＩＳ‐９５Ａ、ＩＳ‐９５Ｂ、ＡＮＳＩ  Ｊ‐ＳＴＤ‐００８（しばしば、ここでは一括してＩＳ‐９５と呼ばれる）、並びに提案された高データ・レート・システムは、米国電気通信工業会（ＴＩＡ）及び他のよく周知の標準機関によって広められている。
【０００３】
ＩＳ‐９５標準の使用に従って構成されたセルラ電話システムは、高い効率の及び強いセルラ電話サービスを提供するためにＣＤＭＡ信号処理技術を採用する。ＩＳ‐９５標準の使用に実質的に従って構成されたイグゼンプラリなセルラ電話システムは、米国特許番号第５，１０３，４５９号及び第４，９０１，３０７号に記載され、そしてそれは、本発明の譲受人に譲渡され、この中に参照文献として組み入れられている。ＣＤＭＡ技術を利用するイグゼンプラリなシステムは、ＴＩＡによって発行された、ｃｄｍａ２０００ＩＴＵ‐Ｒ無線送信技術（ＲＴＴ）候補提案（Candidate Submission）（ここではｃｄｍａ２０００と呼ばれる）である。ｃｄｍａ２０００に関する標準は、ＩＳ‐２０００の草稿版に作成され、ＴＩＡによって承認されている。もう１つのＣＤＭＡ標準は、第３世代提携プロジェクト“３ＧＰＰ”、文書番号３Ｇ  ＴＳ２５．２１１、３Ｇ  ＴＳ２５．２１２、３Ｇ  ＴＳ２５．２１３、及び３Ｇ  ＴＳ２５．２１４に織り込まれたような、Ｗ‐ＣＤＭＡ標準である。
【０００４】
ＷＣＤＭＡシステムのコンポーネント部分間の送信は、サービス・プロバイダに利用可能な周波数帯域に従って、時分割２重モード（ＴＤＤ）又は周波数分割２重モード（ＦＤＤ）で送られることができる。どちらのモードにおいても動作を可能にさせることの複雑性により、システムは、論理チャンネル及び物理チャンネルに従って情報を送信する。データは、データが割り当てられた論理チャンネルに従ってエンコードされ、インタリーブされる、そして、論理チャンネルは、それから、物理チャンネル上にマップされる。論理チャンネル及び物理チャンネルの個数及び型は、信号が送られている方向に依存して変化する。遠隔局（移動局としても周知の）から基地局への送信は、“上り方向リンク”と呼ばれ、基地局から遠隔局への送信は、“下り方向リンク”と呼ばれる。
【０００５】
下り方向リンク上で、論理チャンネルは、制御チャンネル又はトラヒック・チャンネルとして分類される。制御チャンネルは、同報通信制御チャンネル（ＢＣＣＨ）、ページング制御チャンネル（ＰＣＣＨ）、専用制御チャンネル（ＤＣＣＨ）、共通制御チャンネル（ＣＣＣＨ）、及び共用チャンネル制御チャンネル（ＳＨＣＣＨ）である。トラヒック・チャンネルは、専用トラヒック・チャンネル（ＤＴＣＨ）及び共通トラヒック・チャンネル（ＣＴＣＨ）である。
【０００６】
下記に説明される実施形態は、遠隔局によるＣＣＣＨの選択的処理へ向けられる。現在、ＷＣＤＭＡシステムは、ＣＣＣＨが取り扱っている基地局の通信範囲内で動作している全ての遠隔局の間で共通であるように設計され、遠隔局が上り方向リンク及び下り方向リンクにおいて共通のトランスポート・チャンネルを割り当てられていることが与えられる。従って、下り方向リンク及び上り方向リンク共通トランスポート・チャンネルを使用している全ての遠隔局は、ＣＣＣＨ上の全てのメッセージを復調し、デコードしなければならない。メッセージが、具体的に１つの遠隔局に宛てられていないならば、そのときは、遠隔局は、メッセージを廃棄しなければならない。例えば、取り扱っている基地局が１００個の別々のメッセージをＣＣＣＨ上で１００個の別々の遠隔局へ送信するならば、そのときは、各遠隔局は、全ての１００個のメッセージを復調し、デコードするはずであり、そしてそのうちの９９個の関係のないメッセージは、他の遠隔局に宛てられているとして廃棄される。
【０００７】
ＣＣＣＨ上の全てのメッセージを復調し、デコードする上記の要求は、処理リソースを浪費するが、遠隔局へ更新情報を提供する問題を解決するために、その要求が実施される。ＣＣＣＨは、ＤＣＣＨが利用可能でない場合に、信号情報を交換するために使用され、これは、例えば、セル再選択の後で起こる。ＣＣＣＨ上のメッセージは、一般に、遠隔局がＤＣＣＨ上で受信された目標にされたメッセージの処理を継続させることを可能にさせ、遠隔局への専用トランスポート・チャンネルの割り当てを可能にさせる更新情報を具備する。
【０００８】
ここに説明される実施形態は、遠隔局がＣＣＣＨ上の全てのメッセージを復調し、デコードすることのニーズを削減させるためであり、その結果、ＣＣＣＨを良好にデコードするために要求される処理リソースの量は、削減される。遠隔局がＣＣＣＨ上で具体的に自身に宛てられた情報を決定することができるならば、ＣＣＣＨは、良好にデコードされる。遠隔局が全ての関係のないＣＣＣＨメッセージを復調し、デコードする必要がないならば、そのときは、電力消費の対応する節減がもたらされ、その節減は、遠隔局の電池寿命にとって有益である。
【発明の開示】
【０００９】
［サマリー］
上記に述べられたニーズに応えるための方法及び装置がここに提示される。１つの態様において、方法は、遠隔局で共通制御チャンネル（ＣＣＣＨ）を選択的に処理するために提示され、下記を具備する：受信されたメッセージのためのインディケータは、受信されたメッセージがＣＣＣＨメッセージであることを指示するかどうかを決定すること；受信されたメッセージがＣＣＣＨメッセージでないならば、そのときは、受信されたメッセージを処理すること；受信されたメッセージがＣＣＣＨメッセージであるならば、そのときは、遠隔局による要請への応答が期待されているかどうかを決定すること；遠隔局による要請への応答が期待されているならば、そのときは、ＣＣＣＨメッセージを処理すること；及び遠隔局による要請への応答が期待されていないならば、そのときは、ＣＣＣＨメッセージを処理しないこと。
【００１０】
もう１つの態様において、装置は、上記に述べられた方法を実施する命令の組を実行するために提示され、装置はメモリ素子及びプロセッサを具備する。
【００１１】
もう１つの態様において、方法は、遠隔局で共通制御チャンネル（ＣＣＣＨ）を処理するために提示され、下記を具備する：遠隔局が要請を基地局へ送信するならば、第１の状態へ遷移すること、ここで、第１の状態は、ＣＣＣＨ上で受信された任意のメッセージを処理するためにある；及び要請への応答が遠隔局によって良好に処理されるならば、第２の状態へ遷移すること、ここで、第２の状態は、ＣＣＣＨ上で受信された任意のメッセージを廃棄するためにある。
【００１２】
もう１つの態様において、方法は、遠隔局が第１の状態にあるならば、ＣＣＣＨ上で受信された任意のメッセージを処理するために提示される、ここで、遠隔局が要請を基地局へ送信するならば、遠隔局は、第１の状態に入る；及び遠隔局が第２の状態にあるならば、ＣＣＣＨ上で受信された任意のメッセージを廃棄するために提示される、ここで、遠隔局が基地局へ以前に送信された要請への応答を受信するならば、遠隔局は、第２の状態に入る。
【００１３】
もう１つの態様において、ＣＣＣＨを選択的に処理するための装置は、下記を具備する：遠隔局が要請を基地局へ送信するならば、第１の状態へ遷移するための手段；遠隔局が第１の状態にある間に、遠隔局によりＣＣＣＨ上で受信された任意のメッセージを処理するための手段；要請への応答が遠隔局によって良好に処理されるならば、第２の状態へ遷移するための手段；及び遠隔局が第２の状態にある間に、遠隔局によりＣＣＣＨ上で受信された任意のメッセージを廃棄するための手段。
【発明を実施するための最良の形態】
【００１４】
図１に図示されるように、無線通信ネットワーク１０は、一般的に、複数の遠隔局（加入者ユニット又は移動局又はユーザ装置とも呼ばれる）１２ａ−１２ｄ、複数の基地局（基地局トランシーバ（ＢＴＳｓ）又はノードＢとも呼ばれる）１４ａ−１４ｃ、基地局コントローラ（ＢＳＣ）（無線ネットワークコントローラ又はパケット制御機能とも呼ばれる）１６、移動交換センタ（ＭＳＣ）又はスイッチ１８、パケット・データ・サービング・ノード（ＰＤＳＮ）又はインターネット動作（internetworking）機能（ＩＷＦ）２０、公衆交換電話ネットワーク（ＰＳＴＮ）２２（一般的に言って電話会社）、及びインターネット・プロトコル（ＩＰ）ネットワーク２４（一般的に言ってインターネット）を含む。簡単にする目的で、４つの遠隔局１２ａ−１２ｄ、３つの基地局１４ａ−１４ｃ、１つのＢＳＣ１６、１つのＭＳＣ１８、及び１つのＰＤＳＮ２０が示される。任意の数の遠隔局１２、基地局１４、ＢＳＣ１６、ＭＳＣ１８、及びＰＤＳＮ２０があり得ることが、技術的に精通した人達によって理解される。
【００１５】
１つの実施形態において、無線通信ネットワーク１０は、パケット・データ・サービスネットワークである。遠隔局１２ａ−１２ｄは、任意の数多くの様々な型の無線通信装置である可能性がある。例えば、携帯型電話機、ＩＰに基づいて動作するラップトップ・コンピュータに接続されたセルラ電話機、ウェブ−ブラウザ（Web-browser）・アプリケーション、ハンズフリー・カー・キットに付帯するセルラ電話機、ＩＰに基づいて動作するパーソナル・データ・アシスタント（ＰＤＡ）、ウェブブラウザ・アプリケーション、携帯型コンピュータに組み入れられた無線通信モジュール、又は無線ローカル・ループ若しくは計器読み取り（meter reading）システムに見出されるはずのもののような固定位置通信モジュールである。最も一般的な実施形態において、遠隔局は、任意の型の通信ユニットである可能性がある。
【００１６】
遠隔局１２ａ−１２ｄは、例えば、ＥＩＡ／ＴＩＡ／ＩＳ‐７０７標準に記載されるような１つ以上の無線パケット・データ・プロトコルを実行するように有利に構成される可能性がある。特定の実施形態において、遠隔局１２ａ−１２ｄは、ＩＰネットワーク２４に向けられたＩＰパケットを発生し、そしてポイント・ツー・ポイント・プロトコル（ＰＰＰ）を使用してフレームにＩＰパケットをカプセル化する。
【００１７】
１つの実施形態において、任意のいくつかの周知のプロトコルに従って、音声及び／又はデータ・パケットの送信のために構成された有線回線を介して、ＩＰネットワーク２４は、ＰＤＳＮ２０に接続され、ＰＤＳＮ２０は、ＭＳＣ１８に接続され、ＭＳＣ１８は、ＢＳＣ１６及びＰＳＴＮ２２に接続され、ＢＳＣ１６は、基地局１４ａ−１４ｃに接続される。周知のプロトコルは、例えば、Ｅ１、Ｔ１、非同期転送モード（ＡＴＭ）、インターネット・プロトコル（ＩＰ）、ポイント・ツー・ポイント・プロトコル（ＰＰＰ）、フレーム中継器、高ビット・レート・ディジタル加入者回線（ＨＤＳＬ）、非対称ディジタル加入者回線（ＡＤＳＬ）、又は他の包括的ディジタル加入者回線装置及びサービス（ｘＤＳＬ）を含む。代わりの実施形態において、ＢＳＣ１６は、ＰＤＳＮ２０に直接に接続され、ＭＳＣ１８は、ＰＤＳＮ２０には接続されない。
【００１８】
無線通信ネットワーク１０の典型的な動作の間、基地局１４ａ−１４ｃは、電話通話、ウェブ・ブラウジング（Web browsing）、又は他のデータ通信に携わっている種々の遠隔局１２ａ−１２ｄからの上り方向リンク信号の組を受信し、復調する。所定の基地局１４ａ−１４ｃによって受信された各上り方向リンク信号は、その基地局１４ａ−１４ｃの中で処理される。各基地局１４ａ−１４ｃは、下り方向リンク信号の組を遠隔局１２ａ−１２ｄへ変調して送信することによって、複数の遠隔局１２ａ−１２ｄと通信する可能性がある。例えば、図１に示されたように、基地局１４ａは、第１及び第２の遠隔局１２ａ、１２ｂと同時に通信し、そして基地局１４ｃは、第３及び第４の遠隔局１２ｃ、１２ｄと同時に通信する。結果として生じるパケットは、ＢＳＣ１６へ転送される、ＢＳＣ１６は、１つの基地局１４ａ−１４ｃからもう１つの基地局１４ａ−１４ｃへの、特定の遠隔局１２ａ−１２ｄに関する通話のソフト・ハンドオフの調整（orchestration）を含む通話リソース割り当て及び移動性管理機能性（mobility management functionality）を提供する。例えば、遠隔局１２ｃは、２つの基地局１４ｂ、１４ｃと同時に通信している。最終的には、遠隔局１２ｃが１つの基地局１４ｃから十分に遠くへ移動する場合に、通話は、他の基地局１４ｂへハンド・オフされる。
【００１９】
送信が従来の電話通話であるならば、ＢＳＣ１６は、受信されたデータをＭＳＣ１８へ転送する。ＭＳＣ１８は、ＰＳＴＮ２２とのインタフェースに関する追加の転送サービスを提供する。送信がＩＰネットワーク２４に宛てられたデータ通話のようなパケットに基づく送信であるならば、ＭＳＣ１８は、データ・パケットをＰＤＳＮ２０へ転送する。ＰＤＳＮ２０は、パケットをＩＰネットワーク２４へ送る。あるいは、ＢＳＣ１６は、パケットを直接ＰＤＳＮ２０へ転送する。ＰＤＳＮ２０は、パケットをＩＰネットワーク２４へ送る。
【００２０】
ＷＣＤＭＡシステムにおいて、無線通信システムコンポーネントの術語は、様々であるが、機能性は、同様である。例えば、基地局は、ＵＴＭＳ地上無線アクセスネットワーク（Ｕ‐ＴＲＡＮ）において動作する無線ネットワークコントローラ（ＲＮＣ）と呼ばれることもある。ここで、“ＵＴＭＳ”は、総合移動通信システム（Universal Mobile Telecommunication Systems）の頭字語である。
【００２１】
図２は、ＷＣＤＭＡ環境において動作する遠隔局（ここでは、あるいはユーザ装置又は移動局と呼ばれる）に関する無線インタフェース・プロトコル・アーキテクチャのブロック図である。プロトコル・アーキテクチャは、レイヤによって機能的に規定される。階層化することは、他の状態に分離された処理エンティティ間で、即ち、レイヤの間で、よく規定されカプセル化されたデータ・ユニット中の通信プロトコルを構造化するための方法である。図２は、基地局２５０及び遠隔局２６０の両者において実施される３つのプロトコル・レイヤＬ１  ２２０、Ｌ２  ２１０、及びＬ３  ２００を図示する。レイヤＬ１  ２２０は、基地局及び遠隔局の間の無線信号の送信及び受信を規定し、レイヤＬ２  ２１０は、信号メッセージの正確な送信及び受信を規定し、及び、レイヤＬ３  ２００は、通信システムに関する制御メッセージを送ることを規定する。レイヤＬ３  ２００は、基地局２５０と遠隔局２６０との間の通信プロトコルの意味及びタイミングに従って、信号メッセージを開始し、終了させる。ＷＣＤＭＡシステムにおいて、Ｌ１は、物理レイヤと呼ばれ、一方において、Ｌ２は、媒体アクセス制御（ＭＡＣ）レイヤ、無線リンク制御（ＲＬＣ）レイヤ、同報通信ショート・メッセージ・サービス（ＳＭＳ）のために使用される同報通信マルチキャスト制御（ＢＭＣ）レイヤ、及び無損失ＲＮＣ再選択を可能にするオプションのレイヤであるパケット・データ収束プロトコル（ＰＤＣＰ）・レイヤを具備する。Ｌ３は、無線リソース制御（ＲＲＣ）レイヤあるいは信号レイヤとして呼ばれる。レイヤの間を輸送されるメッセージ・エンティティは、パケット・データ・ユニット（ＰＤＵ）及びサービス・データ・ユニット（ＳＤＵ）と呼ばれる。
【００２２】
ＭＡＣレイヤは、ＭＡＣレイヤ及び物理レイヤ（Ｌ１）の間で規定されるトランスポート・チャンネル上で、且つＭＡＣレイヤ及びＲＬＣレイヤの間で規定される論理チャンネル上で動作し、それらは両方ともにＬ２の部分である。従って、一般的な説明において、トランスポート・チャンネルは、物理チャンネルの上位に、そして論理チャンネルの下位に位置すると言うことができる。トランスポート・チャンネルの存在は、この中で更に説明されないが、特別の機能的柔軟性を可能にする。ＭＡＣレイヤは、論理チャンネル上でデータ転送サービスを提供し、各論理チャンネル型は、どの型の情報が転送されているかによって規定される。論理チャンネルは、制御チャンネル及びトラヒック・チャンネルに分類される。制御チャンネルは、ハンドオーバ・メッセージ、セル更新メッセージ、及び前記のメッセージに対応する応答のような、制御情報を転送するためにある。トラヒック・チャンネルは、音声トラヒック及びデータ・トラヒックのような、ユーザ発信の情報を転送するために使用される。
【００２３】
上記に説明されたプロトコル・アーキテクチャは、遠隔局が、４つのＲＲＣ状態に存在することを可能にする：図３に示されるように、アイドル・モード３００、ＧＳＭ接続モード３１０、一般パケット無線サービス（ＧＰＲＳ）・パケット転送モード３３０、及びＵＴＲＡ  ＲＲＣ接続モード３４０である。各状態において、指定された論理チャンネル及びトランスポート・チャンネルのみが機能する。ここに説明される実施形態は、ＵＴＲＡ  ＲＲＣ接続モード３４０中のＣＥＬＬ＿ＦＡＣＨ状態３５０、及びＣＥＬＬ＿ＦＡＣＨ状態３５０の中で動作する論理チャンネルへ向けられる。
【００２４】
ＣＥＬＬ＿ＦＡＣＨ状態は、低トラヒック・サービス（即ち、ＳＭＳ）に対して、及び取り扱い基地局（セル又はＵＴＲＡとも呼ばれる）によって同報通信される最新のシステム情報を維持するために使用されることができる。ＣＥＬＬ＿ＦＡＣＨ情報は、更に下記のためである：
・少量のユーザのデータを送ること及び受信すること；
・基地局再選択処理を実行すること；
・測定制御情報に従って測定処理を実行すること；
・周期的セル更新タイマを動作すること；
・遠隔局によって選択された副共通制御物理チャンネル（Ｓ‐ＣＣＰＣＨ）上にマップされた全てのＦＡＣＨトランスポート・チャンネルを聴取すること；
・ＢＣＣＨ、ＣＣＣＨ、又はＤＣＣＨ上で受信されたＲＲＣメッセージを動作させること；及び
・ＳＨＣＣＨが利用可能であるならば、ＳＨＣＣＨ上で受信されたＲＲＣメッセージ上を動作させること。
【００２５】
ＣＥＬＬ＿ＦＡＣＨ状態において、連続的な受信で、常時動作の３つの制御チャンネルがある。３つの制御チャンネルは、専用制御チャンネル（ＤＣＣＨ）、同報通信制御チャンネル（ＢＣＣＨ）、及び共通制御チャンネル（ＣＣＣＨ）である。名称によって暗に示されるように、ＤＣＣＨは、１つの基地局からもう１つの基地局へハンド−オフするため、並びに物理及び論理チャンネルを設定するための、命令を伝えるために使用される専用チャンネルである。ＢＣＣＨは、同報通信している基地局の範囲の中で動作する遠隔局へシステム更新を同報通信するためにある。ＤＣＣＨ及びＢＣＣＨは両方とも、目標とされた遠隔局へメッセージを伝える。ＤＣＣＨ上の各メッセージは、メッセージに付けられたＭＡＣヘッダ中の目標とされた遠隔局のアイデンティフィケーション、ユーザ装置アイデンティフィケーション（ＵＥ＿ＩＤ）と呼ばれる、を伝える。それゆえ、各遠隔局は、遠隔局がメッセージの意図された受取人であるかどうかを決定するために、各メッセージのＭＡＣヘッダの処理だけが必要である。
【００２６】
ＵＥ＿ＩＤは、各メッセージ・ブロックにおいて伝えられる必要があるので、システムの面から、短いＵＥ＿ＩＤを使用することが望ましい。これは、アイデンティファイアをデコードするために必要とされる処理量を削減する。しかしながら、無線電話器があらゆる場所に存在するので、長い移動体アイデンティフィケーション番号（ＭＩＮ）が、各遠隔局を一意的に識別するために必要とされる。ＭＩＮは、遠隔局の製造又はサービス提供に際して、遠隔局に割り当てられる。
【００２７】
ＷＣＤＭＡシステムにおいて、命名協定が開発されてきており、そこでは、２つの暫定的な名称がシステムの中で動作している各遠隔局に対して無線ネットワークによって発生される。短いＵＥ＿ＩＤ、セル−無線ネットワーク暫定アイデンティファイア（Ｃ‐ＲＮＴＩ）と呼ばれる、及び長いＵＥ＿ＩＤ、ＵＴＲＡＮ−無線ネットワーク暫定アイデンティファイア（Ｕ‐ＲＮＴＩ）と呼ばれる、が発生される。短いＣ−ＲＮＴＩは、特定のセルに関してのみ有効で、１つのセルからもう１つのセルへ移動しているとき、遠隔局によって再取得されなければならない。長いＵ‐ＲＮＴＩは、システムのセルの間で有効である、暫定システム・アイデンティファイアである。
【００２８】
それゆえ、ＤＣＣＨメッセージは、ＭＡＣヘッダにおいて短いＣ‐ＲＮＴＩで構成され、その結果、全ての遠隔局は、ＭＡＣヘッダを読み出す必要があるが、意図された受取人だけが、完全なＤＣＣＨメッセージを処理する必要がある。しかしながら、遠隔局がもう１つのセルへ移動するとき、遠隔局は、新規のＣ‐ＲＮＴＩ値を再取得しなければならない。ＣＣＣＨは、この情報を遠隔局へ伝えるために使用される。
【００２９】
ＣＣＣＨチャンネルは、正確なＣ‐ＲＮＴＩ情報を有していない遠隔局へ情報を送信するためにあるので、ＣＣＣＨメッセージは、ＭＡＣヘッダにおいてＵＥ＿ＩＤ情報を伝えない。ＣＣＣＨメッセージは、メッセージそれ自身の中でデータ・ペイロードとして、長いＵ‐ＲＮＴＩ情報及び更新されたＣ‐ＲＮＴＩ情報を伝える。それゆえ、ＣＣＣＨは、取り扱っている基地局の通信範囲における全ての各遠隔局が、全ての各ＣＣＣＨメッセージを受信し、処理しなければならないように、設計される。一旦、メッセージが受信され、復調され、デコードされると、各遠隔局は、Ｕ‐ＲＮＴＩ情報が遠隔局を意図された受取人として識別するかどうかとかいう決定を下さなければならない。識別されなければ、そのときは、遠隔局は、メッセージを廃棄しなければならなくなり、更に、遠隔局は、メッセージの到着でたった今増加させたシーケンス・カウンタを減少させなければならない。長いＵ‐ＲＮＴＩ情報が、遠隔局を意図された受取人として識別するならば、そのときは、遠隔局は、これもペイロードにおいて伝えられた新規のＣ‐ＲＮＴＩを使用してそれ自身を更新する。
【００３０】
ここに説明された実施形態は、上記のＣＣＣＨの処理に関連した無駄をなくすためである。実施形態は、既に現存する下り方向リンクＣＣＣＨを再構成するより、寧ろ遠隔局での処理を変更するためである。
【００３１】
１つの実施形態において、ＣＣＣＨチャンネルの選択的処理に関するスキーム（scheme）が提示され、ここでは、受信されたＣＣＣＨメッセージ中の非アイデンティフィケーション・インディケータ（non-identification indicator）は、受信されたＣＣＣＨメッセージを処理するか又は廃棄するかどうかを決定するために、期待されたＣＣＣＨメッセージの予備知識との組み合わせで使用される。
【００３２】
もう１つの実施形態において、ＣＣＣＨチャンネルの選択的処理に関するスキームが提示され、ここでは、受信されたＣＣＣＨメッセージ中の非アイデンティフィケーション・インディケータは、複数の下位状態（sub-states）との組み合わせで使用される。下位状態は、ＣＣＣＨメッセージを処理するか又は廃棄するかどうかを決定するために、機能的に決定される。
【００３３】
一般に、ここに説明される実施形態は、遠隔局によって本当に期待されているそれらのメッセージのみを処理するために、ＣＣＣＨメッセージのＭＡＣヘッダ中の弁別インディケータ（discriminating indicator）を使用する方向に向けられる。それゆえ、遠隔局がＣＣＣＨ上でそれ自身へ向けられたいずれのメッセージも期待しない場合には、そのときは、ＣＣＣＨ論理エンティティに関する全てのＲＬＣ  ＰＤＵｓは、遠隔局のＭＡＣレイヤにおいて落とされることがある。本実施形態の１つの直接的な利点は、受信されたＰＤＵｓからＲＬＣヘッダを除去すること、ＲＬＣ  ＳＤＵｓを再組立することを含む処理の量が、削減されることである。プロセッサ動作における削減は、対応して、プロセッサによる電力消費の低減につながる。
【００３４】
実施形態の１つの態様において、目標チャンネル型フィールド（ＴＣＴＦ）と呼ばれるＭＡＣヘッダ中の弁別部（discriminator）は、解析される。図４は、メッセージ・フィールドの一般的な図である。ＭＡＣヘッダ４００は、データ・ペイロード４１０に付随する。ＴＣＴＦフィールド４０１は、一般的に、ＭＡＣヘッダ４００の前部に設置される。ＴＣＴＦは、受信されたメッセージがＢＣＣＨ、ＣＣＣＨ、ＣＴＣＨ、ＳＨＣＣＨ、又は専用論理チャンネル情報を伝送するかどうかを識別するために、遠隔局によって使用される。例えば、“０００”のＴＣＴＦ値は、メッセージ型の指示がＢＣＣＨメッセージであるはずであることを指示することができ、“００１”のＴＣＴＦ値は、メッセージ型の指示がＣＣＣＨメッセージであるはずであることを指示することができる。
【００３５】
１つの実施形態において、プロセッサ及びメモリは、受信されたメッセージが完全にデコードされるべきか否かを決定するための方法を実行するように構成される。図５は、その手順を図示するフロー・チャートである。ステップ５１０で、ＭＡＣヘッダの弁別部フィールドが、確認される。実施形態の１つの態様において、ＴＣＴＦフィールドは、確認されるべき弁別部フィールドである。ＴＣＴＦが、メッセージがＣＣＣＨメッセージであることを指示するならば、そのときは、プログラム・フローは、ステップ５２０へ進む。ＴＣＴＦが、メッセージがＣＣＣＨメッセージでないことを指示するならば、そのときは、プログラム・フローは、ステップ５３０へ進む、ここでは、メッセージは、メッセージ型に従って処理される。
【００３６】
ステップ５２０で、プロセッサは、ＲＲＣメッセージがＣＣＣＨ上で期待されているかどうかを決定する。ＲＲＣメッセージが期待されないならば、そのときは、プログラム・フローは、ステップ５４０へ進む、ここでは、プロセッサは、ＣＣＣＨメッセージの残部を廃棄する。ＲＲＣメッセージが期待されているならば、そのときは、プログラム・フローは、ステップ５５０へ進む、ここでは、プロセッサは、ＣＣＣＨメッセージの残部を処理する。
【００３７】
実施形態の１つの態様において、５２０のステップは、更に、下記のような追加のステップを具備する：
・ステップ５２２で、セル更新確認メッセージが期待されているかどうかを決定する。セル更新確認メッセージは、遠隔局が基地局からのセル更新メッセージを要請するときに、遠隔局への応答である。
【００３８】
・ステップ５２４で、ＵＲＡ（Ｕ‐ＴＲＡＮ登録地域）更新確認メッセージが期待されているかどうかを決定する。ＵＲＡ更新確認メッセージは、遠隔局がＵＲＡ更新を要請するときに、遠隔局への応答である。
【００３９】
・ステップ５２６で、ＲＲＣ接続設定／拒絶メッセージが期待されているかどうかを決定する。ＲＲＣ接続設定／拒絶メッセージは、遠隔局がＲＲＣ接続要請メッセージを送信するときに、遠隔局への応答である。
【００４０】
・ステップ５２８で、ＲＲＣ接続解放メッセージが期待されているかどうかを決定する。ＲＲＣ接続解放メッセージは、いつでも基地局によって遠隔局へ送信されることができ、遠隔局をアイドル・モードに遷移させるために使用される。
【００４１】
ＷＣＤＭＡ標準は、ＲＲＣ接続解放メッセージがいつでもＣＣＣＨ上で基地局によって遠隔局へ送信されることを可能にするが、ＲＲＣ接続解放用法の現実は、基地局が、遠隔局による更新要請に応答して、ＲＲＣ接続解放メッセージを送信することのようなものである。ＷＣＤＭＡ標準は、利用可能であるならば、ＲＲＣ接続解放メッセージは、下り方向リンク上で送られなければならないこと、及び、下り方向リンクが利用可能でないならば、ＲＲＣ接続解放メッセージは、ＣＣＣＨ上で送られることを述べる。短いＣ‐ＲＮＴＩの利用不可能性は、遠隔局がＣＥＬＬ＿ＦＡＣＨ状態にある間に、下り方向リンクＤＣＣＨが利用可能でないという理由だけである。短いＣ‐ＲＮＴＩが遠隔局に利用可能でないならば、遠隔局は、更新要請を基地局へ送信する。それゆえ、遠隔局は、基地局からの要請を期待しており、ここに説明される実施形態は、動作可能である。
【００４２】
基地局がＲＲＣ接続解放メッセージに関してＤＣＣＨより寧ろＣＣＣＨを使用することの、もう１つの極めて現実的でない理由は、基地局が短いＣ‐ＲＮＴＩを紛失するときである。これは、基地局の完全な動作不具合を暗に意味するので、極めて現実的でない事象である。これが起こるならば、基地局は、隣接する基地局から遠隔局の長いＵ‐ＲＮＴＩを再取得し、その遠隔局へＣＣＣＨ上でＲＲＣ接続解放メッセージを送る。１つの実施形態が実施されるならば、そのときは、目標の遠隔局は、ＲＲＣ接続解放メッセージを廃棄する。しかしながら、目標の遠隔局は、最終的には、セル再選択のために又は周期的なセル更新タイマの時間切れのために、セル更新手順を実行する。
【００４３】
基地局は、目標の遠隔局が既にアイドル・モード（ＲＲＣ接続解放メッセージの前の送信のために）にあると想定するので、遠隔局からの更新要請中のＵ‐ＲＮＴＩは、認識されない。不正確なＵ‐ＲＮＴＩの使用は、基地局にＣＣＣＨ上で更新要請へ返事をさせる原因となる。返事は、更新要請に期待されているので、遠隔局は、返事の到着まで、全てのＣＣＣＨメッセージを処理している。それゆえ、遠隔局は、短い時間の間、誤った状態にあるが、最終的には、正確な状態に戻る。
【００４４】
上記の実施形態において、プロセッサは、遠隔局が受信する各メッセージに関するプログラム・フローを実行する。メッセージが期待されているかどうかを決定するための、上記に説明された方法ステップの順序が、実施形態の範囲に影響を及ぼすことなく交換されることができることは、注目されるべきである。代案の実施形態は、２つの状態のステート・マシンを使用して実施されることができ、その結果、遠隔局が第１の状態にある間に受信された全てのＣＣＣＨメッセージは、完全にデコードされ、遠隔局が第２の状態にある間に受信された全てのＣＣＣＨメッセージは、完全に廃棄される。
【００４５】
図６は、状態方法（state method）を使用する実施形態の図である。ＣＣＣＨ受信状態６００において、遠隔局は、ＣＣＣＨに対するＴＣＴＦインディケータを有する任意のメッセージを完全に処理する。一旦、ＣＣＣＨメッセージが受信されると、遠隔局は、ＣＣＣＨ途絶状態６１０に遷移する。ＣＣＣＨ途絶状態６１０において、遠隔局は、ＣＣＣＨに対するＴＣＴＦインディケータを有する任意のメッセージを完全に廃棄する。遠隔局は、遠隔局が基地局へ、情報又は更新に関する要請のような、ＲＲＣメッセージを送信する場合に、ＣＣＣＨ受信状態６００に遷移する。
【００４６】
完全性保護スキーム（Integrity Protection Scheme）を包含する実施形態
上記の実施形態は、メッセージ反復のシーケンス番号を増加させない完全性保護スキームを使用するＷＣＤＭＡシステムにおいて実施されることができる。しかしながら、代案の実施形態は、完全性保護スキームにおいて、増加したシーケンス番号を使用するＷＣＤＭＡシステムにおいて実施される。ある完全性保護スキームにおいて、シーケンス番号は、メッセージ反復に添付され、基地局でのカウンタ及び遠隔局でのカウンタを更新するために使用される。カウンタの計数は、その後、メッセージ認証コード（ＭＡＣｓ）を発生させるために使用される。メッセージ認証コードは、メッセージの内容が述べられた発信者から発信され、且つ、メッセージの内容が変更されていないことを示すために使用される。
【００４７】
ＷＣＤＭＡシステムにおいて、下り方向リンクＣＣＣＨは、共通のチャンネルである。それゆえ、下り方向リンクメッセージは、常に、このチャンネル上で未承認のモードで送られ、且つ、上り方向リンク上でトランスペアレント・モードで送られる。未承認のモードにおいて、基地局は、意図された受取人が本当にＣＣＣＨメッセージを受信したかどうかに関して何の承認も受信しない。意図された受取人が本当にＣＣＣＨメッセージを受信することを確実にするために、“迅速反復（quick repeat）”と呼ばれる処理が実施され、そこでは、ＣＣＣＨメッセージは、短い時間間隔で反復して送信される。反復されたＣＣＣＨメッセージは、全く同じであることができるか、又は、反復されたＣＣＣＨメッセージは、各反復で増加させられるシーケンス番号を変更することによって、異なることができるかのいずれかである。
【００４８】
ＷＣＤＭＡシステムの１つのインプリメンテーションにおいて、完全性保護スキームは、ＭＡＣを発生させるためにカウンタ値を使用する、ここで、カウンタ値は、最小有効ビットとしてシーケンス番号を変更すること、及び最大有効ビットとして超フレーム（hyper frame）番号を変更することを具備する。シーケンス番号を変更することは、それが無線で送信されるので、公開されており、超フレーム番号は、安全及び効率の目的のために、各エンティティによって独立に維持され、非公開に保たれる。しかしながら、シーケンス番号の変更が更新される、例えば、１６個のＲＲＣメッセージ毎に更新される場合に、超フレーム番号は、増加する。
【００４９】
受信するエンティティがＲＲＣメッセージの更新番号より多くを見逃し又は無視するならば、そのときは、受信するエンティティでの超フレーム番号は、送信するエンティティでの超フレーム番号と同期しなくなる。同期問題が起こるならば、そのときは、それに続く全てのメッセージは、完全性確認に失敗し、そしてそれは、ＲＲＣ接続の喪失、即ち、通話の途絶を招く結果になる。
【００５０】
無線ネットワークが各反復されたメッセージのＲＲＣシーケンス番号を増加させるだけであるならば起きる可能性がある、上記に提示された問題に対処するために、更なる特徴が、メッセージの完全性を維持するために上記の実施形態に付加されることができる。１つの代案の実施形態において、タイマは、反復された全てのメッセージの完全性確認が考慮されるように構成される。図７は、その手順を図示するフロー・チャートである。ステップ７１０で、ＭＡＣヘッダのＴＣＴＦフィールドが確認される。メッセージがＣＣＣＨメッセージであることをＴＣＴＦが指示するならば、そのときは、プログラム・フローは、ステップ７２０へ進む。メッセージがＣＣＣＨメッセージでないことをＴＣＴＦが指示するならば、そのときは、プログラム・フローは、ステップ７３０へ進む、ここでは、メッセージは、メッセージ型に従って処理される。
【００５１】
ステップ７２０で、プロセッサは、ＲＲＣメッセージがＣＣＣＨ上で期待されているかどうかを決定する。ＲＲＣメッセージが期待されていないならば、そのときは、プログラム・フローは、ステップ７４０へ進む、ここでは、プロセッサは、ＣＣＣＨメッセージの残部を廃棄する。ＲＲＣメッセージが期待されているならば、そのときは、プログラム・フローは、ステップ７５０へ進む、ここでは、プロセッサは、ＣＣＣＨメッセージの残部を処理する。ステップ７６０で、プロセッサは、タイマの持続時間の間に受信された全てのＣＣＣＨメッセージを処理することを継続する。タイマは、期待されたＲＲＣメッセージの受信の際に設定される。タイマがいずれかの任意の量、例えば、２秒、に設定されることがあることが、理解されるべきである。タイマが作動しないようにされるならば、そのときは、この実施形態は、完全性手順を実行するためにシーケンス番号を使用しないシステムにおける使用に対して適切である。
【００５２】
実施形態の１つの態様において、７２０のステップは、更に、下記のような追加のステップを具備する：
・ステップ７２２で、セル更新確認メッセージが期待されているかどうかを決定する。セル更新確認メッセージは、遠隔局が基地局からセル更新メッセージを要請するとき、遠隔局への応答である。
【００５３】
・ステップ７２４で、ＵＲＡ（Ｕ‐ＴＲＡＮ登録地域）更新確認メッセージが期待されているかどうかを決定する。ＵＲＡ更新確認メッセージは、遠隔局がＵＲＡ更新を要請するとき、遠隔局への応答である。
【００５４】
・ステップ７２６で、ＲＲＣ接続設定／拒絶メッセージが期待されているかどうかを決定する。ＲＲＣ接続設定／拒絶メッセージは、遠隔局がＲＲＣ接続要請メッセージを送信するとき、遠隔局への応答である。
【００５５】
・ステップ７２８で、ＲＲＣ接続解放メッセージが期待されているかどうかを決定する。ＲＲＣ接続解放メッセージは、いつでも基地局によって遠隔局へ送信されることができ、遠隔局をアイドルモードに遷移させるために使用される。
【００５６】
・ステップ７２９で、タイマを設定する、又は代案として、タイマが既に設定されているならば、タイマが時間切れであるかどうかを決定する。
【００５７】
メッセージが期待されているかどうかを決定するために、上記に説明された方法ステップの順序が、実施形態の範囲に影響を及ぼすことなく交換されることができることが、注目されるべきである。
【００５８】
代案の実施形態は、２つの状態のステート・マシン及びタイマを使用して実施されることができ、その結果、遠隔局が第１の状態にある間に受信された全てのＣＣＣＨメッセージは、完全にデコードされ、遠隔局が第２の状態にある間に受信された全てのＣＣＣＨメッセージは、完全に廃棄される。
【００５９】
図８は、状態方法を使用する実施形態の図である。ＣＣＣＨ受信状態８００において、遠隔局は、回答待機モード８０２においてＣＣＣＨメッセージを待機し、到着するＣＣＣＨに関するＴＣＴＦインディケータを有する任意のメッセージを完全に処理する。一旦、ＣＣＣＨメッセージが受信されると、遠隔局は、待機状態８０５に遷移する。ここはで、遠隔局は、タイマの持続時間の間ＣＣＣＨに関するＴＣＴＦインディケータを有する任意のメッセージを処理する。タイマは、任意の事前決定された持続時間に設定されることができる。タイマの時間切れとともに、遠隔局は、ＣＣＣＨ途絶状態８１０に遷移する。待機状態８０５の間に新規のＲＲＣメッセージが期待されるならば、遠隔局は、ＣＣＣＨ受信状態８００の回答待機モード８０２に遷移して戻る。ＣＣＣＨ途絶状態８１０において、遠隔局は、ＣＣＣＨに関するＴＣＴＦインディケータを有する任意のメッセージを完全に廃棄する。遠隔局が、情報又は更新に関する要請のようなＲＲＣメッセージを基地局へ送信する場合に、遠隔局は、ＣＣＣＨ受信状態８００に遷移する。
【００６０】
図示されていないが、待機状態８０５が、実施形態の代案の実施において、ＣＣＣＨ受信状態８００から分離されることがあることは、理解されるべきである。
【００６１】
迅速反復に関するシーケンス番号の変更を使用しないシステムにおいて、遠隔局は、タイマなしの実施形態、すなわち、処理リソースを削減するために“０”に設定されたタイマを有する実施形態を使用することができる。一旦、ＣＣＣＨメッセージの良好なデコードが完了すると、遠隔局は、タイマなしの実施形態、すなわち“０”に設定されたタイマを有する実施形態を使用することができ、意図されないＣＣＣＨメッセージと同様に、引き続く反復を廃棄する。
【００６２】
処理リソースの削減に加えて、本実施形態によってもたらされるもう１つの利点は、カウンタ動作の削減である。現在のＷＣＤＭＡ標準において、ＣＣＣＨメッセージが到着したと決定が下されるその度に、シーケンス・カウンタが増加されることは、注目されるべきである。デコードした時に、ＣＣＣＨメッセージが遠隔局に向けられていなかったと遠隔局が決定するならば、そのときは、シーケンス・カウンタは、減少されなければならない。ＣＣＣＨメッセージが遠隔局に向けられていたと遠隔局が決定するならば、そのときは、シーケンス・カウンタは、増加した値のままである。ここに説明された実施形態を使用して、シーケンス・カウンタは、ＣＣＣＨ途絶状態にある間は、止められることができる。
【００６３】
技術的に精通した人達は、情報及び信号が、任意の種々の異なる技術及び手法を使用して表される可能性があることを理解する。例えば、上記の説明の全体に亘って参照される可能性がある、データ、指示、命令、情報、信号、ビット、シンボル、及びチップは、電圧、電流、電磁波、磁場若しくは磁粒子、光場若しくは光粒子、又はこれらの任意の組み合わせによって表される可能性がある。
【００６４】
技術的に精通した人達は、更に、ここに開示された実施形態に関連して説明された種々の例示の論理ブロック、モジュール、回路、及びアルゴリズム・ステップは、電子的ハードウェア、コンピュータ・ソフトウェア、又はその両方の組み合わせとして実施される可能性があることを正当に評価する。このハードウェア及びソフトウェアの互換性を明瞭に説明するために、種々の例示のコンポーネント、ブロック、モジュール、回路、及びステップは、それらの機能性の点から概論的に上記に説明されてきた。このような機能性がハードウェア又はソフトウェアとして実施されるかどうかは、特定のアプリケーション及びシステム全体に課せられた設計の制約事項に依存する。精通した技術者は、一つひとつの特定のアプリケーションに対して、種々の方法で説明された機能性を実施する可能性があるが、このような実施決定は、本発明の範囲からの離脱させるものとして解釈されるべきではない。
【００６５】
ここに開示された実施形態に関連して説明された種々の例示の論理ブロック、モジュール、及び回路は、汎用プロセッサ、ディジタル・シグナル・プロセッサ（ＤＳＰ）、特定用途集積回路（ＡＳＩＣ）、フィールド・プログラマブルゲート・アレー（ＦＰＧＡ）若しくは他のプログラム可能な論理装置、個別ゲート若しくはトランジスタ論理、個別ハードウェアコンポーネント、又はここに説明された機能を実行するために設計されたこれらの任意の組み合わせ、を用いて実施され又は実行される可能性がある。汎用プロセッサは、マイクロプロセッサである可能性があるが、あるいは、プロセッサは、任意の従来のプロセッサ、コントローラ、マイクロコントローラ、又はステート・マシンである可能性がある。プロセッサは、計算装置の組み合わせ、例えば、ＤＳＰとマイクロプロセッサとの組み合わせ、複数のマイクロプロセッサ、ＤＳＰコアと結合した１つ以上のマイクロプロセッサ、又は任意の他のこのような構成、として実施されることも可能性がある。
【００６６】
ここに開示された実施形態に関連して説明された方法又はアルゴリズムのステップは、ハードウェアに、プロセッサによって実行されるソフトウェア・モジュールに、又はその２つの組み合わせに、直接的に具現化される可能性がある。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、着脱可能ディスク、ＣＤ‐ＲＯＭ、又は技術的に周知の任意の他の形式の記憶媒体、に存在する可能性がある。イグゼンプラリな記憶媒体は、プロセッサが記憶媒体から情報を読み取り、記憶媒体へ情報を書き込むことができるように、プロセッサに接続される。代案では、記憶媒体は、プロセッサと一体化される可能性がある。プロセッサ及び記憶媒体は、ＡＳＩＣに存在する可能性がある。ＡＳＩＣは、ユーザ端末に存在する可能性がある。代案では、プロセッサ及び記憶媒体は、ユーザ端末中に個別コンポーネントとして存在する可能性がある。
【００６７】
開示された実施形態の上記の説明は、技術的に精通した任意の人が、本発明を製品化し又は使用することを可能にするために提供される。これらの実施形態への種々の変更は、技術的に精通した人達には、容易に明白であり、ここに規定された包括的原理は、本発明の精神又は範囲から離脱することなく他の実施形態に適用されることができる。このように、本発明は、ここに示された実施形態に限定されるように意図されるものではなく、ここに開示された原理及び新規な特徴とは矛盾しない最も広い範囲と一致するものである。
【図面の簡単な説明】
【００６８】
【図１】図１は、無線通信ネットワークの図である。
【図２】図２は、無線インタフェース・プロトコル・アーキテクチャの一般的なブロック図である。
【図３】図３は、ＷＣＤＭＡ準拠の遠隔局における動作状態のブロック図である。
【図４】図４は、メッセージ・フィールドの図である。
【図５】図５は、ＣＣＣＨメッセージを選択的に処理するための方法のフロー・チャートである。
【図６】図６は、ＣＣＣＨを選択的に処理するための１実施形態の状態図である。
【図７】図７は、ＣＣＣＨメッセージを選択的に処理するための方法のフロー・チャートである。
【図８】図８は、ＣＣＣＨを選択的に処理するための１実施形態の状態図である。
【符号の説明】
【００６９】
１０…無線通信ネットワーク、２５０…基地局、２６０…遠隔局、８００…ＣＣＣＨ受信状態。
【図１】
2005525760.tif 000003
【図２】
2005525760.tif 000004
【図３】
2005525760.tif 000005
【図４】
2005525760.tif 000006
【図５】
2005525760.tif 000007
【図６】
2005525760.tif 000008
【図７】
2005525760.tif 000009
【図８】
2005525760.tif 000010
【国際調査報告】
2005525760.tif 000011
2005525760.tif 000012
2005525760.tif 000013